(57)【特許請求の範囲】
【請求項１】
収納室の開口部の周縁部に、水平方向に回動自在に蝶着された第１扉体と、該第１扉体に、水平方向に回動自在に蝶着された第２扉体と、を有した開閉扉を備え、
該開閉扉を閉扉した状態で、前記開口部を塞いで前記収納室を密閉し、
前記開閉扉を折り畳むように、前記第１および第２扉体の前記収納室に面した扉内面同士が向かい合う方向に第１および第２扉体を回動させることにより、前記開閉扉を閉扉状態から開扉状態に移行する折り畳み式の開閉扉構造であって、
前記開閉扉構造は、前記第１および第２扉体のうち、一方の扉体の前記収納室の外側に面した扉外面に、可動自在に取付けられた取手部と、
前記一方の扉体に取付けられるとともに、閉扉状態の前記開閉扉をロックし、前記取手部の可動に連動して前記開閉扉のロックを解除するロック機構と、
閉扉状態の前記開閉扉と前記開口部の周縁部との間を封止するように、前記第１および第２扉体の前記扉内面に取付けられた第１封止部材と、
前記閉扉状態の前記第１扉体と前記第２扉体との間を封止するように、前記第１および第２扉体との対向する側面のうち、少なくとも一方の側面に沿って取付けられた第２封止部材と、を備えており、
前記第２封止部材は、前記開閉扉の前記ロックを解除した時に、前記第１および第２扉体の扉内面同士が向かい合う方向に前記第１および第２扉体が回動するように、閉扉状態の第１および第２扉体を付勢し、
前記第１および第２扉体の蝶着は、前記第１扉体の扉内面と、前記第２扉体の扉内面とに蝶番を取付けることによりなされており、
前記第１および第２扉体の扉内面に取付けられた第１封止部材同士が押圧されない状態で前記第１扉体の扉内面と前記第２扉体の扉内面とが少なくとも平行となる位置まで、前記第１扉体および前記第２扉体が回動するように、前記第１および第２扉体の扉内面と前記蝶番との間には、スペーサーが配置されていることを特徴とする開閉扉構造。
【請求項２】
前記ロック機構は、前記開閉扉の閉扉状態で、前記開口部の周縁部のうち上側縁部および下側縁部の少なくとも一方の縁部に係止し、前記取手部の前記可動に連動して前記縁部との係止が解除される係止部材を備えており、
前記係止部材は、前記縁部に係止することにより前記開閉扉をロックし、前記縁部との係止が解除されることにより前記開閉扉のロックを解除するものであり、
前記係止部材は、前記第２封止部材の近傍の前記縁部に係止されるように、前記一方の扉体に取付けられていることを特徴とする請求項１に記載の開閉扉構造。
【請求項３】
前記開閉扉を閉扉状態から開扉状態に移行する際に、前記第２扉体が前記第１扉体に対して非回動の状態で、前記第１扉体が前記開口部の周縁部に対して回動することを防止するように、前記第２扉体の動きを制限する制限部材が、前記開口部の周縁部に取付けられていることを特徴とする請求項１または２に記載の開閉扉構造。
【発明の詳細な説明】
【技術分野】
【０００１】
本発明は、開口部の周縁部に、水平方向に回動自在に蝶着された第１扉体と、第１扉体に、水平方向に回動自在に蝶着された第２扉体と、からなる開閉扉を備えた開閉扉構造に関する。
【背景技術】
【０００２】
従来から、飲食で使用された食器類を洗浄した後に、消毒・乾燥する保管機が、幅広く用いられている。消毒保管機には、洗浄後の食器類を収納する収納室が形成されており、収納室内に収納された食器類は、加熱され消毒・乾燥される。
【０００３】
ここで、保管機は、収納室内に食器類を出し入れする開閉扉を備えた開閉扉構造を備えており、開閉扉を閉扉した状態で収納室を密閉し、開閉扉を閉扉状態から開扉状態に移行することで収納室を開放することができる。
【０００４】
たとえばこのような開閉扉を備えた開閉扉構造として、特許文献１には、開口部の周縁部に回動可能に配設され、開口部を開閉可能な開閉扉構造が提案されている。開閉扉構造は、第１扉体と第２扉体とを有した開閉扉を備えている。第１扉体は、開口部の周縁部に水平方向に回動自在に蝶着されており、第２扉体は、第１扉体に、水平方向に回動自在に蝶着されている。
【０００５】
開閉扉構造は、開閉扉を閉扉した状態で、第１および第２扉体には、第１および第２扉体と開口部の周縁部との間を封止する第１封止部材と、第１および第２扉体の対向する側面同士の間を封止する第２封止部材が取付けられている。
【０００６】
このように構成することにより、閉扉状態では、収納室を開閉扉構造で密閉することができる。一方、開閉扉を閉扉状態から開扉状態に移行する際には、第１扉体と第２扉体とが重なるようにこれらを回動させることができるので、開閉扉を開扉する際に必要となるスペースを小さくすることができる。
【先行技術文献】
【特許文献】
【０００７】
【特許文献１】特開２００２−１４７１２７号公報
【発明の概要】
【発明が解決しようとする課題】
【０００８】
しかしながら、特許文献１に示す開閉扉構造の開閉扉を、閉扉状態から開扉しようとしたときに、第１扉体と第２扉体とが回動しない状態で、第１扉体が開口部の周縁部に対して回動することがある。すなわち、第１扉体と第２扉体とが重なるように相対的に回動しないため（開閉扉が折り畳まれないため）、開閉扉を開扉する際に必要となるスペースは、本来想定していたスペースより大きくなる。この結果、開閉扉構造を備えた機器の設置場所によっては、開閉扉を完全に開扉することができないことがある。
【０００９】
本発明は、このような点を鑑みてなされたものであり、その目的とするところは、第１および第２扉体が重なるように簡単に回動させることができる開閉扉構造を提供することにある。
【課題を解決するための手段】
【００１０】
前記課題を鑑みて、本発明に係る開閉扉構造は、収納室の開口部の周縁部に、水平方向に回動自在に蝶着された第１扉体と、該第１扉体に、水平方向に回動自在に蝶着された第２扉体と、を有した開閉扉を備え、該開閉扉を閉扉した状態で、前記開口部を塞いで前記収納室を密閉し、前記開閉扉を折り畳むように、前記第１および第２扉体の前記収納室に面した内扉面同士が向かい合う方向に第１および第２扉体を回動させることにより、前記開閉扉を閉扉状態から開扉状態に移行する折り畳み式の開閉扉構造であって、前記開閉扉構造は、前記第１および第２扉体のうち、一方の扉体の前記収納室の外側に面した扉外面に、可動自在に取付けられた取手部と、前記一方の扉体に取付けられるとともに、閉扉状態の前記開閉扉をロックし、前記取手部の可動に連動して前記開閉扉のロックを解除するロック機構と、閉扉状態の前記開閉扉と前記開口部の周縁部との間を封止するように、前記第１および第２扉体の前記扉内面に取付けられた第１封止部材と、前記閉扉状態の前記第１扉体と前記第２扉体との間を封止するように、前記第１および第２扉体との対向する側面のうち、少なくとも一方の側面に沿って取付けられた第２封止部材と、を備えており、前記第２封止部材は、前記開閉扉の前記ロックを解除した時に、前記第１および第２扉体の扉内面同士が向かい合う方向に前記第１および第２扉体が回動するように、閉扉状態の第１および第２扉体を付勢することを特徴とする。
【００１１】
本発明によれば、開閉扉を閉扉した状態では、第１および第２扉体と、開口部の周縁部との間を第１封止部材が封止し、第１扉体と第２扉体との間を第２封止部材が封止する。これにより、収納室を開閉扉で密封することができる。また、閉扉状態の開閉扉は、ロック機構によりロックされるので、閉扉状態を維持することができる。
【００１２】
一方、作業者が取手部を握って、開閉扉を閉扉状態から開扉状態に移行する際には、取手部の可動と連動して、開閉扉のロックが解除される。このとき、第２封止部材の付勢力により、閉扉状態の第１および第２扉体は、ロックの解除に伴って、第１および第２扉体の扉内面同士が向かい合う方向に自動的に回動する。この回動に合わせて、第１扉体も開口部の周縁部に対して回動する。
【００１３】
このような結果、ロックが解除され、扉内面同士が向かい合う方向に回動した第１および第２扉体をさらに回動させながら、第１扉体および第２扉体が重なるように、開閉扉を簡単に折り畳み、これを開扉することができる。これにより、開閉扉を開扉する際に要するスペースが大きくなることを防止することができる。
【００１４】
ここで、ロック機構は、取手部の可動に連動して、開口部に対して閉扉状態の開閉扉をロックすることができるのであれば、その機構は特に限定されるものではなく、たとえば、開口部の周縁部の一部に係止する機構などを挙げることができる。
【００１５】
しかしながら、より好ましい態様としては、前記ロック機構は、前記開閉扉の閉扉状態で、前記開口部の周縁部のうち上側縁部および下側縁部の少なくとも一方の縁部に係止し、前記取手部の前記可動に連動して前記縁部との係止が解除される係止部材を備えており、前記係止部材は、前記縁部に係止することにより前記開閉扉をロックし、前記縁部との係止が解除されることにより前記開閉扉のロックを解除するものであり、前記係止部材は、前記第２封止部材の近傍の前記縁部に係止されるように、前記一方の扉体に取付けられている。
【００１６】
この態様によれば、開閉扉の閉扉状態で、ロック機構の係止部材が、第２封止部材の近傍の縁部の部分に係止するので、開閉扉を開口部に対してより正確かつ確実にロックすることができる。
【００１７】
一方、開閉扉を閉扉状態から開扉状態に移行する際には、取手部の可動と連動して、係止部材と縁部との係止が解除され、開閉扉のロックが解除される。ここで、係止部材は第２封止部材の近傍で縁部に係止しているので、取付・組立誤差等によるガタ等の影響を低減し、第２封止部材により、第１扉体と第２扉体とをより効果的に付勢することができる。この結果、開閉扉のロックが解除されたときに、第２封止部材の付勢力により、第１および第２扉体をより確実に回動させることができる。
【００１８】
また、第１および第２扉体を回動自在に蝶着することができるのであれば、第１および第２扉体を蝶着する手段は特に限定されるものではなく、たとえば、第１および第２扉体の扉内面に直接的に蝶番を取付けてもよい。
【００１９】
しかしながら、より好ましい態様として、前記第１および第２扉体の蝶着は、前記第１扉体の扉内面と、前記第２扉体の扉内面とに蝶番を取付けることによりなされており、前記第１および第２扉体の扉内面に取付けられた第１封止部材同士が押圧されない状態で前記第１扉体の扉内面と前記第２扉体の扉内面とが少なくとも平行となる位置まで、前記第１扉体および第２扉体が回動するように、前記第１および第２扉体の扉内面と前記蝶番との間には、スペーサーが配置されている。
【００２０】
この態様によれば、第１および第２扉体の扉内面と前記蝶番との間に配置されたスペーサーにより、第１および第２扉体の扉内面同士が平行となる位置（すなわち完全に開扉する位置）まで開閉扉を開扉させても、第１および第２扉体に取付けられた第１封止部材同士は押圧されない。これにより、第１および第２扉体の扉内面同士が平行となる位置、すなわち、開閉扉を完全に開扉した状態を保持することができる。
【００２１】
さらに、好ましい態様として、前記開閉扉を閉扉状態から開扉状態に移行する際に、前記第２扉体が前記第１扉体に対して非回動の状態で、前記第１扉体が前記開口部の周縁部に対して回動することを防止するように、前記第２扉体の動きを制限する制限部材が、前記開口部の周縁部に取付けられている。
【００２２】
この態様によれば、制限部材を設けることにより、閉扉状態の位置にある第２扉体が第１扉体に対して非回動の状態で、第１扉体が開口部の周縁部に対して回動することはない。これにより、閉扉状態の第１扉体が開口部の周縁部に対して回動するに伴い、第２扉体を案内するように第１扉体に対して相対的に回動させることができる。この結果、開閉扉を折り畳むように、第１および第２扉体をより確実に回動させることができ、開閉扉を開扉する際に要するスペースが大きくなることを防止することができる。
【発明の効果】
【００２３】
本発明によれば、第１および第２扉体が重なるように簡単に回動させることができる。
【図面の簡単な説明】
【００２４】
【図１】本発明の実施形態に係る開閉扉構造を備えた保管機の模式的斜視図。
【図２】図１に示す開閉扉構造の開閉扉を取り外した状態の保管機の模式的斜視図。
【図３】図１に示す開閉扉構造の開閉扉の模式的斜視図。
【図４】図３に示す開閉扉を収納室側から見た平面図。
【図５】図１に示す開閉扉のうち、第２扉体の分解斜視図。
【図６】図５に示す第２扉体と収納室の開口部の周縁部との封止状態を説明するための模式的断面図。
【図７】（ａ）は、図１に示す閉扉状態の開閉扉を説明するための開閉扉の上面図、（ｂ）は、（ａ）に示す開閉扉が第２封止部材の付勢力により、閉扉状態から開扉状態に移行したときの開閉扉の上面図。
【図８】第１扉体および第２扉体を回動させることにより、収納室を開放する動作を説明するための図。
【図９】図８に示す第１および第２扉体の要部拡大図。
【図１０】第１扉体と第２扉体との回動を完了し、収納室を開放した状態（完全に開扉した状態）の第１および第２扉体の配置状態を説明するための要部拡大上面図。
【図１１】本実施形態と異なる開閉扉構造を備えた保管機の模式的斜視図。
【発明を実施するための形態】
【００２５】
以下に、本発明の実施形態に係る開閉扉構造を図１〜１１を参照しながら説明する。
１．保管機１の全体構成
図１および２に示すように、本実施形態に係る保管機１は、洗浄後の食器類を乾燥・消毒するための装置であり、保管機本体１０を備えている。保管機本体１０には、洗浄後の食器類を収納する収納室１２が形成されている。収納室１２の内部には、食器籠に収納された食器類を載置するための複数の載置棚７０が上下方向に間隔を開けて取付けられている。
【００２６】
保管機１の前方には、収納室１２に食器類を出し入れするための開口部１５が形成されており、収納室１２の開口部１５を覆うように開閉扉２０が取付けられている。開閉扉２０は、第１および第２扉体２１，２２で構成されている。なお、開閉扉２０の構造および保管機本体１０との取付構造の詳細は、後述する。
【００２７】
ここで、本出願でいう「開閉扉」とは、第１扉体と第２扉体とで構成された扉をいい、「開閉扉構造」とは、開閉扉、開閉扉が取付けられた収納室の開口部の周縁部、および、これら取付けられた部材を含む構造である。
【００２８】
保管機本体１０の上部には、熱風を生成し、収納室１２に熱風を循環させる乾燥部１３が配置されている。乾燥部１３は、収納室１２の上部からファン（図示せず）で空気を吸い込んで、吸い込んだ空気をヒータ（図示せず）で加熱して熱風を生成し、熱風を収納室１２の下方に送風するものである。
【００２９】
ヒータによる加熱温度および加熱時間、ファンの駆動時間は、乾燥部１３の前面に取付けられたコントロールパネル１４を介して制御される。これにより、所望の温度の熱風を、収納室１２内に所望の時間循環させて、収納室１２内に収納された洗浄後の食器を熱風で乾燥・消毒することができる。
【００３０】
２．開閉扉２０の蝶着構造
開閉扉２０は、閉扉状態で、収納室１２の開口部１５を第１および第２扉体２１，２２で覆って（塞いで）、収納室１２を密閉するものである。第１扉体２１は、収納室１２の開口部１５の上下方向に沿った一方側の側周縁部１７ｃに、２つの第１蝶番３１，３１を介して、水平方向に回動自在に蝶着されている。
【００３１】
具体的には、第１蝶番３１の一方は、開口部１５の側周縁部１７ｃに取付けられ（図２参照）、その他方は、第１扉体２１の扉外縁面２１ｄに取付けられている（図３および図４参照）。これにより、開閉扉２０が閉扉状態（図１参照）から開扉状態（図８参照）に移行する（すなわち収納室１２を開放する）際に、第１扉体２１は収納室１２の外側に向かって水平方向に回動自在となる。
【００３２】
第２扉体２２は、第１扉体２１に第２蝶番３２を介して水平方向に回動自在に蝶着されている。具体的には、図４および図７（ａ）に示すように、第２蝶番３２の一方は、スペーサー５６を介して第１扉体２１の扉内面２１ｂに取付けられ、その他方は、第２扉体２２の扉内面２２ｂに、スペーサー５６を介して第２扉体２２の扉内面２２ｂに取付けられている。なお、スペーサー５６についての説明は、後述する。
【００３３】
これにより、開閉扉２０の閉扉状態で、第２蝶番３２は開いた状態となる。開閉扉２０を閉扉状態から開扉状態に移行する際には、開いた状態の第２蝶番３２を収納室１２側に向かって閉じるように回動させることができる。このような第２蝶番３２の回動により、収納室１２に面した扉内面２１ｂ，２２ｂ同士が向かい合う方向に、第１扉体２１および第２扉体２２を相対的に回動させることができる。
【００３４】
３．第１および第２扉体２１，２２の構造
ここで、図５を参照しながら、第１扉体２１および第２扉体２２のうち、第２扉体２２の構造を説明する。本実施形態では、第２扉体２２は、金属製または樹脂製の扉枠体２４と、扉枠体２４の内部に収納されて収納室１２を断熱する断熱材２６と、断熱材２６を収納した状態で扉枠体２４を覆う内壁板２５と、を備えている。
【００３５】
扉枠体２４は、裏面側（収納室１２側）に開口した枠体である。第２扉体２２には、収納室１２の外側に面した扉外面２２ａが形成されており、扉外面２２ａに連続して扉上縁面２２ｃ、扉外縁面２２ｄ、扉下縁面２２ｅ、および扉内縁面２２ｆが形成されている。扉枠体２４の扉外面２２ａには、取手部４２を支持する取手枠体４６を固定する取付孔２２ｈが形成されている。さらに、扉枠体２４の扉上縁面２２ｃおよび扉下縁面２２ｅには、後述する一対のストッパロッド４５，４５の先端が挿通する貫通孔２２ｇが形成されている。
【００３６】
本実施形態では、第２扉体２２の扉外面２２ａに可動自在に取手部４２が取付けられている。具体的には、取手枠体４６が、扉枠体２４の取付孔２２ｈに嵌合して固定され、固定された取手枠体４６に、取手部４２が枢着されている。本実施形態では、取手部４２の左側に形成された把持用凹部４３（図３参照）に作業者が手を入れ込んで、取手部４２を手前に引くように、これを枢動させることができる。
【００３７】
なお、第１扉体２１も、第２扉体２２と同様に、扉枠体と、扉枠体の内部に収納される断熱材と、断熱材を収納した状態で扉枠体を覆う内壁板とを備えている。図３に示すように、第１扉体２１の扉外面２１ａには取手部４１が取付けられている。取手部４１は、第２扉体２２の取手部４２とは異なり、枢動することなく、取手枠体４６に固着されている。
【００３８】
４．開閉扉２０のロック機構
第２扉体２２には、ロック機構４０が取付けられている。ロック機構４０は、閉扉状態の開閉扉２０をロックし、取手部４２の可動に連動して開閉扉２０のロックを解除するものである。
【００３９】
具体的には、ロック機構４０は、取手部４２に連接された一対の連接部材４８，４８と、各連接部材４８に連接されたストッパロッド（係止部材）４５，４５とを備えている。２つのストッパロッド４５，４５は、開閉扉２０の閉扉状態で、開口部１５の上側縁部１７ａおよび下側縁部１７ｂに係止し、取手部４２の可動に連動して開口部１５の上側縁部１７ａおよび下側縁部１７ｂとの係止が解除されるように構成されている。
【００４０】
より具体的には、取手部４２が閉じた状態（図１に示す状態）で、ストッパロッド４５の先端部が、扉上縁面２２ｃ（扉下縁面２２ｅ）の貫通孔２２ｇに挿通され、その先端部が扉上縁面２２ｃ（扉下縁面２２ｅ）から突出するように（図３参照）、ストッパロッド４５は、第２扉体２２に取付けられている。
【００４１】
開閉扉２０の閉扉状態では、ストッパロッド４５の先端部は、扉上縁面２２ｃ（扉下縁面２２ｅ）から突出した状態で、図２に示す開口部１５の上側縁部１７ａ（下側縁部１７ｂ）に形成された係止孔１８に挿入される。
【００４２】
この状態で、ストッパロッド４５は、上側縁部１７ａ（下側縁部１７ｂ）の係止孔１８に係止される。これにより、開閉扉２０の閉扉状態で、開閉扉２０を収納室１２の開口部１５に対してロックすることができる。
【００４３】
一方、取手部４２を手前に引くように、外側（図５のＬ方向）に向かって取手部４２を枢動させると、連接部材４８が平面ｆ内で回動する。この回動により、貫通孔２２ｇに挿通されていたストッパロッド４５の先端部は、上下方向（図５のＰ方向）に移動し、貫通孔２２ｇ内に入り込む。
【００４４】
この動作により、係止孔１８に挿入されて係止されていたストッパロッド４５は、係止孔１８から外れ、上側縁部１７ａ（下側縁部１７ｂ）の係止は解除される。これにより、収納室１２を密閉した状態の開閉扉２０が、収納室１２の開口部１５に対してロックされている状態から、このロックを解除することができる。
【００４５】
このようにして、ストッパロッド４５，４５は、取手部４２の枢動（可動）に連動して、開口部１５の周縁部の上側縁部１７ａおよび下側縁部１７ｂに対して、選択的に係止または係止解除され、開閉扉２０を選択的にロックおよびロック解除することができる。
【００４６】
５．収納室１２の封止構造について
本実施形態では、閉扉状態の開閉扉２０により収納室１２を密閉するように、第１封止部材５１Ａ，５１Ｂと、第２封止部材５５と、が開閉扉２０に取付けられている。
【００４７】
第１封止部材５１Ａ，５１Ｂは、開閉扉２０と、周縁部の一部を構成する周縁枠体１６との間を封止するように、第１および第２扉体２１，２２の扉内面２１ｂ，２２ｂに取付けられている。
【００４８】
より具体的には、図４に示すように、第１扉体２１では、第１封止部材５１Ａ，５１Ｂが、扉上縁面２１ｃ、扉外縁面２１ｄおよび扉下縁面２１ｅに隣接した第１扉体２１（内壁板２５）の扉内面２１ｂの周縁に沿って取付けられている。
【００４９】
図４および図５に示すように、第２扉体２２では、第１封止部材５１Ａ，５１Ｂが、扉上縁面２２ｃ、扉外縁面２２ｄおよび扉下縁面２２ｅに隣接した第２扉体２２（内壁板２５）の扉内面２２ｂの周縁に沿って取付けられている。
【００５０】
第１封止部材５１Ａ，５１Ｂは、ゴムまたは樹脂からなるパッキンなどのシール材であり、閉扉状態の開閉扉２０では、第１封止部材５１Ａ，５１Ｂは、周縁枠体１６に当接し、圧縮弾性変形した状態で押圧される（たとえば図６参照）。これにより、開閉扉２０と、周縁部の一部を構成する周縁枠体１６との間を封止する（シールする）ことができる。
【００５１】
第２封止部材５５は、閉扉状態の第１扉体２１と第２扉体２２との間を封止するように、第１および第２扉体２１，２２との対向する双方の扉内縁面２１ｆ，２２ｆの上下方向に沿って取付けられている（たとえば図４，図７（ａ）等参照）。このように、第１および第２封止部材５１Ａ，５１Ｂ，５５を設けることにより、収納室１２内を密閉し、食器類を乾燥する際に発生する蒸気が収納室１２から漏れ出すことを防止することができる。
【００５２】
さらに、第２封止部材５５は、ロック機構４０による開閉扉２０のロックを、取手部４２の可動により解除した時に、第１および第２扉体２１，２２の扉内面２１ｂ，２２ｂ同士が向かい合う方向Ｓに第１および第２扉体２１，２２が回動するように、閉扉状態の第１および第２扉体２１，２２を弾性的に付勢している。
【００５３】
このような付勢は、第１および第２扉体２１，２２に対する第２封止部材５５の位置、第２封止部材５５の厚さ、硬さ、圧縮弾性率などの材質等を設定するにより、達成することができる。本実施形態では、その一例として、閉扉状態で、第２封止部材５５を、収納室１２側の扉内縁面２１ｆ，２２ｆに配置し、閉扉状態で第２封止部材５５同士が圧縮弾性変形し、第１および第２扉体２１，２２を回動する付勢力が作用する厚さおよび材料（たとえばゴム、樹脂など）を設定している。
【００５４】
６．第１および第２扉体２１，２２のスペーサー５６を介した蝶着構造
第１および第２扉体２１，２２の蝶着は、上述したように、第１扉体２１の扉内面２１ｂと、第２扉体２２の扉内面２２ｂとに第２蝶番３２を取付けることによりなされている。より具体的には、図８、９等に示すように、第１および第２扉体２１，２２同士の扉内面２１ｂ，２２ｂのうち、扉内縁面２１ｆ，２２ｆに隣接した側縁には、固定用金具３６，３６が取付けられており、固定用金具３６，３６と第２蝶番３２との間には、スペーサー５６，５６が取付けられている。
【００５５】
ここで、スペーサー５６の厚さは、図１０に示すように、第１および第２扉体２１，２２の第１封止部材５１Ａ，５１Ｂ同士が押圧されない状態で、第１扉体２１の扉内面２１ｂと第２扉体２２の扉内面２２ｂとが平行となる位置まで、第１扉体２１と第２扉体２２とが第２蝶番３２により回動するのに可能な厚さとなっている。本実施形態では、扉内面２１ｂ，２２ｂ同士が平行な位置では、第１および第２扉体２１，２２の第１封止部材５１Ａ，５１Ｂ同士が略当接状態としていることから、第１および第２扉体２１，２２の第１封止部材５１Ａ，５１Ｂ同士は押圧されることがないため、開閉扉２０の開扉状態を保つとともに、完全に開扉した状態（折り畳んだ状態）での開閉扉２０の厚さを最小とすることができる。
【００５６】
７．制限部材について
本実施形態では、図２および図６に示すように、開閉扉２０を閉扉状態から開扉状態に移行する際に、第２扉体２２の動きを制限する制限部材６０が、収納室１２の開口部１５の他方側の側周縁部１７ｄに取付けられている。
【００５７】
制限部材６０は、制限部６１と固定部６２とからなるＬ字状のチャンネルであり、固定部６２を開口部１５の他方側の側周縁部１７ｄに取付けた状態で、制限部６１は、側周縁部１７ｄから第２扉体２２の扉外面２２ａに沿って、延在している。この制限部６１が、第２扉体２２の扉外面２２ａに沿って延在する長さとしては、開閉扉２０が閉扉状態のとき、第２扉体２２の扉外面２２ａ側となる端部が外れない（引っ掛かる）程度であればよい。
【００５８】
具体的には、開閉扉２０を閉扉状態から開扉状態に移行する際に、第２扉体２２が第１扉体２１に対して非回動の状態で、閉扉状態の位置にある第１扉体２１が開口部１５の周縁部に対して回動することを防止するように、制限部材６０が構成されている。具体的には、制限部材６０は、固定部６２と連続した制限部６１と扉外面２２ａとの隙間をほとんどなくすことにより、第２扉体２２の動作を制限することができる。
【００５９】
本実施形態では、制限部材６０を設けることにより、閉扉状態の位置にある第２扉体２２が第１扉体２１に対して非回動の状態で、第１扉体２１が開口部１５の側周縁部１７ｃに対して回動することはない。これにより、閉扉状態の第１扉体２１が開口部１５の周縁部に対して回動するに伴い、第２扉体２２を案内するように第１扉体２１に対して相対的に回動させることができる。
【００６０】
特に、本実施形態では、ロック解除時に第２封止部材５５の付勢力による第１および第２扉体の回動後、この回動後の姿勢の第２扉体２２が第１扉体２１に対して非回動の状態で、第１扉体２１が開口部１５の周縁部に対して回動することを防止するように、制限部材６０は、第２扉体２２の動きを制限している。
【００６１】
これにより、第２封止部材５５の付勢力により、第１および第２扉体が回動した後であっても、開閉扉２０を折り畳むように、第１および第２扉体をより確実に回動させることができる。また、ロック機構４０によって、開閉扉２０を閉扉状態にしているが、制限部材６０を設けて、第２扉体２２の扉外縁面２２ｄ側が、収納室１２の開口部１５から離れることを防いでいることから、さらに開閉扉２０を確実に閉扉状態に保持し、収納室１２の密閉を確実にすることができる。
【００６２】
８．開閉扉２０の動作
以下に、開閉扉２０の動作について説明する。まず開閉扉２０が閉扉状態では、第１および第２扉体２１，２２と、収納室１２の開口部１５の周縁部との間を第１封止部材５１Ａ，５１Ｂが封止し、第１扉体２１と第２扉体２２との間を第２封止部材５５が封止する。これにより、収納室１２を開閉扉２０で密封することができる。
【００６３】
このとき、ロック機構４０のストッパロッド４５，４５の先端部は、扉上縁面２１ｃおよび扉下縁面２２ｅから突出した状態で、開口部１５の上側縁部１７ａと下側縁部１７ｂの係止孔１８に挿入される。これにより、閉扉状態の開閉扉２０がロックされた状態を維持することができる。さらに、図７（ａ）に示すように、第２封止部材５５により、閉扉状態の第１および第２扉体２１，２２が、付勢力Ｆで付勢されている。
【００６４】
特に、本実施形態では、開閉扉２０の閉扉状態で、ロック機構４０のストッパロッド４５，４５が、第２封止部材５５の近傍の縁部の部分に係止するので、開閉扉２０を開口部１５に対してより確実にロックすることができる。さらに、取付・組立誤差等によるガタ等の影響を低減し、第２封止部材５５により、第１扉体２１と第２扉体２２とをより効果的に付勢することができる。
【００６５】
次に、閉扉状態の開閉扉２０を、開扉状態に移行する際に、図７（ｂ）に示すように、作業者が取手部４２を握って、外側（図に示すＬ方向）に取手部４２を枢動させる。この枢動により、貫通孔２２ｇに挿通されていたストッパロッド４５の先端部は、貫通孔２２ｇに入り込む。これにより、係止孔１８に挿入されて係止されていたストッパロッド４５による係止は解除され、開閉扉２０のロックは解除される。
【００６６】
このとき、第２封止部材５５により、閉扉状態の位置にある第１および第２扉体２１，２２は上述した如く付勢されているので、第１および第２扉体２１，２２の扉内面２１ｂ，２２ｂ同士が向かい合う方向Ｓに、第１および第２扉体２１，２２が自動的に回動する。
【００６７】
このような結果、ロックが解除され、回動した第１および第２扉体２１，２２を、図８に示すように開閉扉２０が折り畳まれるように（第１および第２扉体２１，２２が重なるように）さらに回動させながら、開閉扉２０を簡単に開扉することができる。
【００６８】
このようにして、第１および第２扉体２１，２２の相対的な非回動を回避し、開閉扉２０を開扉する際に要するスペースが大きくなることを防止することができる。さらに、本実施形態では、制限部材６０を設けたので、作業者の取手部４２の引き方等が起因して、第２扉体２２が第１扉体２１に対して非回動の状態で、閉扉状態の第１扉体２１が開口部１５の周縁部に対して回動することがない。
【００６９】
仮に、作業者が、第２扉体２２を第１扉体２１に対して非回動の状態で、開閉扉２０を開扉しようとしても、制限部６１が第２扉体２２の扉外面２２ａに当接することから、第２扉体２２においては、扉外縁面２２ｄ側が収納室１２の開口部１５から離れず、扉内縁面２２ｆ側が開口部１５から離れることになり、第２扉体２２が第１扉体２１に対して回動するように、第２扉体２２が案内される。
【００７０】
このようにして、図８に示すように、第１および第２扉体２１，２２を、開閉扉２０が折り畳まれるように（第１および第２扉体２１，２２が重なるように）、作業者が簡単に回動させることができる。
【００７１】
さらに、図１０に示す第１および第２扉体２１，２２の扉内面２１ｂ，２２ｂ同士が平行となる位置まで、開閉扉２０をさらに開扉しても、スペーサー５６，５６により、第１封止部材５１Ａ，５１Ａ同士は押圧されない。
【００７２】
これにより、第１封止部材５１Ａ，５１Ａ同士が接触して押し戻されることなく、第１および第２扉体２１，２２の扉内面２２ｂ，２２ｂ同士が平行となる位置、すなわち、開閉扉２０を完全に開扉した状態を保持することができる。
【００７３】
さらに、開閉扉２０を開扉状態から閉扉状態に移行する際には、閉扉状態から開扉状態への動作と逆の動作を行う。具体的には、作業者が取手部４２を握って、外側に向かって（図に示すＬ方向に）取手部４２を枢動させた状態で、開閉扉２０を閉扉位置に移動する。この時、第２封止部材５５，５５同士が押圧され、圧縮弾性変形する。この状態を維持し、作業者は、閉扉状態の開閉扉２０の取手部４２を元の状態（図１に示す状態）に枢動させ、開閉扉２０をロックすることができる。
【００７４】
９．異なる構造の開閉扉構造から本実施形態に係る開閉扉構造への変更
本実施形態の開閉扉構造は、図１１に示す保管機８に示す観音開き型の開閉扉構造から簡単に変更することができる。以下のその一例を説明する。
【００７５】
図１１に示す開閉扉構造が、本実施形態の開閉扉構造と相違する点は、一方の扉体８１と他方の扉体８２とが蝶着されず、他方の扉体８２が蝶番を介して、一方の扉体８１と同様に保管機本体１０に蝶着されている点である。また、一方の扉体８１と他方の扉体８２に、第２封止部材５５を設ける代わりに、一方の扉体８１に縁材８４を設け、他方の扉体８２に、パッキン８６を設けた点が相違する。さらに、図１１に示す開閉扉構造には、制限部材６０が設けられていない。その他の同じ構成には、同じ符号を付して、その詳細な説明を省略する。
【００７６】
まず、第１扉体２１と同じ構造の一方の扉体８１から縁材８４を取り外す。縁材８４は、閉扉状態で、第２扉体２２と同じ構造の他方の扉体８２に取付けられたパッキン８６と当接する部材である。他方の扉体８２を保管機本体１０とから取り外す。このとき、他方の扉体８２を保管機本体１０に蝶着している蝶番を、他方の扉体８２および保管機本体１０から取り外す。さらに、他方の扉体８２からパッキン８６を取り外す。
【００７７】
一方の扉体８１および他方の扉体８２の双方に、図２、図９等に示す固定用金具３６、スペーサー５６、および第２蝶番３２を取付けて、一方の扉体８１と他方の扉体８２を蝶着する。一方の扉体８１および他方の扉体８２の扉内縁面の双方に、第２封止部材５５を貼着する。さらに、他方の扉体８１が保管機本体１０に蝶着されていた蝶番の取付孔を利用して、制限部材６０を取付ける。
【００７８】
このようにして、図１１に示す観音開き型の開閉扉構造を、本実施形態に係る開閉扉２０と同様の構造に簡単に変更することができる。この際、上下のストッパロッド４５，４５が係止する係止孔１８，１８、他方の扉体８２が保管機本体１０に蝶着されていた蝶番の取付孔をそのまま利用できる。もちろん、保管機９の観音開き型の開閉扉のみを、本実施形態の開閉扉２０に変更してもよい。
【００７９】
以上、本発明の実施形態について詳述したが、本発明は、上記の実施形態に限定されるものではなく、特許請求の範囲に記載された本発明の精神を逸脱しない範囲で、種々の設計変更を行うことができるものである。
【００８０】
たとえば、本実施形態では、保管機１の正面に向かって、左側の扉体を第１扉体２１、右側の扉体を第２扉体２２とし、右側から左側に開閉扉が開扉する構造であったが、左右反転し、左側から右側に開閉扉が開扉する構造であってもよい。
【００８１】
本実施形態では、第２扉体２２にロック機構４０を設けたが、第１扉体２１に形成された貫通孔２１ｇを利用して、取手部４１を枢動するようにロック機構４０を取付けてもよい。さらに、本実施形態では、制限部材６０を、開口部の側周縁部１７ｄの一部に沿って形成されていたが、上下方向にさらに制限部材を延在してもよい。
【００８２】
本実施形態では、第２封止部材５５は、第１扉体２１および第２扉体２２のそれぞれに取付けられているが、第１扉体２１および第２扉体２２のいずれか一方に取付けるようにしてもよい。
【００８３】
本実施形態では、第１および第２扉体２１、２２のそれぞれに、取手部４１，４２を取り付けているが、開閉扉２０を閉扉状態または開扉状態とするのに支障なく、またロック機構４０による開閉扉２０のロックおよびその解除ができるのであれば、いずれかの扉体に１つの取手部のみを取り付けてもよい。
【００８４】
本実施形態では、第１および第２扉体に取付けられた取手部４１，４２の形状を同じ形状にしたが、これらの形状が異なっていてもよい。
【００８５】
さらに、第２封止部材５５による付勢力Ｆにより、第２扉体２２が第１扉体２１に対して非回動で、閉扉状態の第１扉体２１が開口部１５の周縁部に対して回動することがなければ、制限部材６０を取り外してもよい。
【符号の説明】
【００８６】
１：保管機、１０：保管機本体、１２：収納室、１３：乾燥部、１４：コントロールパネル、１５：開口部、１６：周縁枠体、１７ａ：上側縁部、１７ｂ：下側縁部、１７ｃ，１７ｄ：側周縁部、１８：係止孔、２０：開閉扉、２１：第１扉体、２２：第２扉体、２１ａ，２２ａ：扉外面、２１ｂ，２２ｂ：扉内面、２１ｃ，２２ｃ：扉上縁面、２１ｄ，２２ｄ：扉外縁面、２１ｅ，２２ｅ：扉下縁面、２１ｆ，２２ｆ：扉内縁面、２１ｇ，２２ｇ：貫通孔、２２ｈ：取付孔、２４：扉枠体、２５：内壁板、２６：断熱材、３１：第１蝶番、３２：第２蝶番、３６：固定用金具、４１：取手部、４２：取手部、４３：把持用凹部、４５：ストッパロッド（係止部材）、４６：取手枠体、４８：連接部材、５１Ａ，５１Ｂ：第１封止部材、５５：第２封止部材、６０：制限部材、６１：制限部、６２：固定部、７０：載置棚
【図１】
0006454534.tif 000002
【図２】
0006454534.tif 000003
【図３】
0006454534.tif 000004
【図４】
0006454534.tif 000005
【図５】
0006454534.tif 000006
【図６】
0006454534.tif 000007
【図７】
0006454534.tif 000008
【図８】
0006454534.tif 000009
【図９】
0006454534.tif 000010
【図１０】
0006454534.tif 000011
【図１１】
0006454534.tif 000012